(57)【特許請求の範囲】
【請求項１】
定着ニップにおいて、用紙上に形成された未定着のトナー像を前記用紙に定着する定着部材と、
前記定着部材を加熱する加熱部と、
前記定着部材の動作状態が定着を行う第１動作状態から第２動作状態に遷移する場合において、前記第１動作状態が開始される第１タイミングから前記第１動作状態が終了する前の第２タイミングまでの間、第１加熱量で前記定着部材を加熱し、前記第２タイミングから前記第２動作状態が開始される第３タイミングまでの間、前記第１加熱量より小さく、かつ、０より大きい第２加熱量で前記定着部材を加熱するように前記加熱部を制御する制御部と、
を備え、
前記第２タイミングは、予約された印刷ジョブの印刷枚数に基づいて決定される、
画像形成装置。
【請求項２】
前記制御部は、前記第２動作状態に応じて前記第２加熱量の値を変更する、
請求項１に記載の画像形成装置。
【請求項３】
前記制御部は、前記第１動作状態の終了後に前記定着部材の表面温度がオーバーシュートする可能性があるか否かについて判定し、オーバーシュートする可能性があると判定した場合に限り、前記第１タイミングから前記第２タイミングまでの間、前記第１加熱量で前記定着部材を加熱し、前記第２タイミングから前記第３タイミングまでの間、前記第２加熱量で前記定着部材を加熱するように前記加熱部を制御する、
請求項１または２に記載の画像形成装置。
【請求項４】
前記制御部は、前記第２動作状態と、前記加熱部で用いる電源の電圧値とに応じて前記第２加熱量の値を変更する、
請求項１〜３の何れか１項に記載の画像形成装置。
【請求項５】
前記制御部は、前記第２動作状態と、前記画像形成装置周囲の温湿度環境とに応じて前記第２加熱量の値を変更する、
請求項１〜４の何れか１項に記載の画像形成装置。
【請求項６】
前記制御部は、前記第２動作状態と、前記用紙の種類とに応じて前記第２加熱量を変更する、
請求項１〜５の何れか１項に記載の画像形成装置。
【請求項７】
前記制御部は、前記第２動作状態と、前記定着部材の使用履歴とに応じて前記第２加熱量を変更する、
請求項１〜６の何れか１項に記載の画像形成装置。
【請求項８】
前記制御部は、前記第２動作状態が前記定着を行う動作状態である場合、前記第２動作状態において定着不良が生じないように、前記第２加熱量を決定する、
請求項１〜７の何れか１項に記載の画像形成装置。
【請求項９】
前記制御部は、所定のデューティー比の半波単位のオン／オフパターンに基づいて前記加熱部による加熱量を制御する、
請求項１〜８の何れか１項に記載の画像形成装置。
【請求項１０】
前記加熱部は、前記定着部材の軸方向の異なる位置に並ぶ複数の発熱体を有し、
前記制御部は、前記用紙の種類に応じて、前記複数の発熱体の何れかの加熱量を選択的に制御する、
請求項１〜９の何れか１項に記載の画像形成装置。
【請求項１１】
前記第２タイミングは、前記定着を行う対象である最後の用紙が前記定着ニップを通過する前のタイミングである、
請求項１〜１０の何れか１項に記載の画像形成装置。
【請求項１２】
前記第２タイミングは、前記定着を行う対象である最後の用紙が前記定着ニップを通過するタイミングである、
請求項１〜１０の何れか１項に記載の画像形成装置。
【請求項１３】
画像形成装置を含む複数のユニットで構成される画像形成システムであって、
定着ニップにおいて、用紙上に形成された未定着のトナー像を前記用紙に定着する定着部材と、
前記定着部材を加熱する加熱部と、
前記定着部材の動作状態が定着を行う第１動作状態から第２動作状態に遷移する場合において、前記第１動作状態が開始される第１タイミングから前記第１動作状態が終了する前の第２タイミングまでの間、第１加熱量で前記定着部材を加熱し、前記第２タイミングから前記第２動作状態が開始される第３タイミングまでの間、前記第１加熱量より小さく、かつ、０より大きい第２加熱量で前記定着部材を加熱するように前記加熱部を制御する制御部と、
を備え、
前記第２タイミングは、予約された印刷ジョブの印刷枚数に基づいて決定される、
画像形成システム。
【請求項１４】
定着ニップにおいて、用紙上に形成された未定着のトナー像を前記用紙に定着する定着部材と、前記定着部材を加熱する加熱部と、を備える画像形成装置の加熱量制御方法であって、
前記定着部材の動作状態が定着を行う第１動作状態から第２動作状態に遷移する場合において、前記第１動作状態が開始される第１タイミングから前記第１動作状態が終了する前の第２タイミングまでの間、第１加熱量で前記定着部材を加熱し、前記第２タイミングから前記第２動作状態が開始される第３タイミングまでの間、前記第１加熱量より小さく、かつ、０より大きい第２加熱量で前記定着部材を加熱するように前記加熱部を制御し、
前記第２タイミングを、予約された印刷ジョブの印刷枚数に基づいて決定する、
加熱量制御方法。
【発明の詳細な説明】
【技術分野】
【０００１】
本発明は、画像形成装置、画像形成システム及び加熱量制御方法に関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体ドラム（像担持体）へ現像装置よりトナーを供給することにより静電潜像を可視化してトナー像を形成する。さらに、このトナー像を直接または間接的に用紙に転写させた後、定着ニップで加熱、加圧して定着させることにより用紙にトナー像を形成する。
【０００３】
また、上記画像形成装置に用いられる定着部としては、定着部材（例えば、定着ローラー）と、定着部材の内部に配置される加熱源（例えば、ハロゲンヒーター）とを備えたものが知られている。定着部材は、加熱源により内部から加熱されることで表面に熱が伝えられ、定着ニップにてトナー像を用紙に熱定着する。
【０００４】
定着部材は、印刷ジョブ中は用紙に定着ニップで熱を奪われるが、例えば、１００枚以上の印刷ジョブが実行されると、印刷ジョブ中に加熱源により内部から加熱され続けることで、内部及び表面の温度がこれ以上上昇しない飽和状態となる。この場合において、印刷ジョブにおける最後の用紙が定着ニップを通過すると、定着部材の表面から熱を奪われなくなるので、飽和状態となった表面に定着部材の内部の熱が遅れて伝わる。そのため、定着部材の表面温度が急に上がってしまう現象（以下、「オーバーシュート」という）が起こることがある。
【０００５】
このオーバーシュートによる温度変動量を低減するために、例えば、特許文献１には、印刷ジョブにおける最後の用紙が定着ニップを通過する前に、加熱源の出力をオフにするような構成が開示されている。これによれば、最後の用紙が定着ニップを通過後、定着部材の内部の温度が下がるので、その分定着部材の表面温度が上昇するのを抑えることで、オーバーシュートを抑制している。
【先行技術文献】
【特許文献】
【０００６】
【特許文献１】特開２０１４−１９１２９６号公報
【発明の概要】
【発明が解決しようとする課題】
【０００７】
しかしながら、特許文献１の構成では、次のジョブで加熱源の出力をオンにした際に、再度定着部材の内部を加熱し直す必要が生じるので、その分定着部材の内部から表面への熱伝導が遅れてしまい、結果的に定着部材の表面温度が通常動作時よりも下がってしまう現象（以下、「アンダーシュート」という）が起こってしまう。そのため、次の印刷ジョブの実行条件や、当該印刷ジョブの実行タイミングによっては、安定した定着状態で印刷することができず、定着部材表面の温度低下による画像不良が起こるおそれがあった。
【０００８】
本発明の目的は、定着部材表面の温度低下による画像不良が発生するのを抑制することが可能な画像形成装置、画像形成システムおよび加熱量制御方法を提供することである。
【課題を解決するための手段】
【０００９】
本発明に係る画像形成装置は、
定着ニップにおいて、用紙上に形成された未定着のトナー像を前記用紙に定着する定着部材と、
前記定着部材を加熱する加熱部と、
前記定着部材の動作状態が定着を行う第１動作状態から第２動作状態に遷移する場合において、前記第１動作状態が開始される第１タイミングから前記第１動作状態が終了する前の第２タイミングまでの間、第１加熱量で前記定着部材を加熱し、前記第２タイミングから前記第２動作状態が開始される第３タイミングまでの間、前記第１加熱量より小さく、かつ、０より大きい第２加熱量で前記定着部材を加熱するように前記加熱部を制御する制御部と、
を備え、
前記第２タイミングは、予約された印刷ジョブの印刷枚数に基づいて決定される。
【００１０】
本発明に係る画像形成システムは、
画像形成装置を含む複数のユニットで構成される画像形成システムであって、
定着ニップにおいて、用紙上に形成された未定着のトナー像を前記用紙に定着する定着部材と、
前記定着部材を加熱する加熱部と、
前記定着部材の動作状態が定着を行う第１動作状態から第２動作状態に遷移する場合において、前記第１動作状態が開始される第１タイミングから前記第１動作状態が終了する前の第２タイミングまでの間、第１加熱量で前記定着部材を加熱し、前記第２タイミングから前記第２動作状態が開始される第３タイミングまでの間、前記第１加熱量より小さく、かつ、０より大きい第２加熱量で前記定着部材を加熱するように前記加熱部を制御する制御部と、
を備え、
前記第２タイミングは、予約された印刷ジョブの印刷枚数に基づいて決定される。
【００１１】
本発明に係る加熱量制御方法は、
定着ニップにおいて、用紙上に形成された未定着のトナー像を前記用紙に定着する定着部材と、前記定着部材を加熱する加熱部と、を備える画像形成装置の加熱量制御方法であって、
前記定着部材の動作状態が定着を行う第１動作状態から第２動作状態に遷移する場合において、前記第１動作状態が開始される第１タイミングから前記第１動作状態が終了する前の第２タイミングまでの間、第１加熱量で前記定着部材を加熱し、前記第２タイミングから前記第２動作状態が開始される第３タイミングまでの間、前記第１加熱量より小さく、かつ、０より大きい第２加熱量で前記定着部材を加熱するように前記加熱部を制御し、
前記第２タイミングを、予約された印刷ジョブの印刷枚数に基づいて決定する。
【発明の効果】
【００１２】
本発明によれば、定着部材の温度がオーバーシュートにより大きく変動するのを抑制しつつ、アンダーシュートにより大きく変動するのを抑制することできる。その結果、定着部材表面の温度低下による画像不良が発生するのを抑制することができる。
【図面の簡単な説明】
【００１３】
【図１】本実施の形態に係る画像形成装置の全体構成を概略的に示す図である。
【図２】本実施の形態に係る画像形成装置の制御系の主要部を示す図である。
【図３】従来技術および本実施の形態に係る上側定着部の温度状態と、加熱源の出力状態との関係を示すタイムチャートである。
【図４】デューティー比毎の半波単位のオン／オフパターンの配列状態を示す図である。
【図５】画像形成装置の加熱量制御の動作例を示すフローチャートである。
【図６】実施例２の評価結果における加熱源の出力状態と上側定着部の表面温度状態との関係を示すタイムチャートである。
【図７】実施例３の評価結果における加熱源の出力状態と上側定着部の表面温度状態との関係を示すタイムチャートである。
【図８】実施例４の評価結果における加熱源の出力状態と上側定着部の表面温度状態との関係を示すタイムチャートである。
【発明を実施するための形態】
【００１４】
以下、本実施の形態を図面に基づいて詳細に説明する。
図１は、本実施の形態に係る画像形成装置１の全体構成を概略的に示す図である。図２は、本実施の形態に係る画像形成装置１の制御系の主要部を示す図である。
【００１５】
図１および図２に示す画像形成装置１は、電子写真プロセス技術を利用した直接転写方式のモノクロ画像形成装置である。すなわち、画像形成装置１は、感光体ドラム２１３上に形成されたＫ成分（ブラック）のトナー像を用紙に直接転写することにより画像を形成する。
【００１６】
画像形成装置１は、画像読取部１１、操作表示部１２、画像処理部１３、画像形成部２０、給紙部１４、用紙搬送部１６、検知部１７及び制御部１０１を備える。
【００１７】
制御部１０１は、ＣＰＵ（Central Processing Unit）１０２、ＲＯＭ（Read Only Memory）１０３、ＲＡＭ（Random Access Memory）１０４等を備える。ＣＰＵ１０２は、ＲＯＭ１０３又は記憶部１８２から処理内容に応じたプログラムを読み出してＲＡＭ１０４に展開し、展開したプログラムと協働して、画像形成装置１の各ブロックの動作を集中制御する。
【００１８】
通信部１８１は、例えばＮＩＣ（Network Interface Card）、ＭＯＤＥＭ（MOdulator-DEModulator）、ＵＳＢ（Universal Serial Bus）等の各種インターフェースを有する。
【００１９】
記憶部１８２は、例えば不揮発性の半導体メモリ（いわゆるフラッシュメモリ）やハードディスクドライブで構成される。記憶部１８２には、例えば各ブロックの動作を制御する際に参照されるルックアップテーブルが格納される。
【００２０】
制御部１０１は、通信部１８１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信されたページ記述言語（ＰＤＬ：Page Description Language）による画像データ（入力画像データ）を受信し、これに基づいて用紙に画像を形成させる。
【００２１】
画像読取部１１は、ＡＤＦ（Auto Document Feeder）と称される自動原稿給紙装置１１１及び原稿画像走査装置１１２（スキャナー）等を備える。自動原稿給紙装置１１１は、原稿トレイに載置された原稿を搬送機構により搬送して原稿画像走査装置１１２へ送り出す。自動原稿給紙装置１１１により、原稿トレイに載置された多数枚の原稿の画像（両面を含む）を連続して読み取ることが可能となる。原稿画像走査装置１１２は、自動原稿給紙装置１１１からコンタクトガラス上に搬送された原稿又はコンタクトガラス上に載置された原稿を光学的に走査し、原稿からの反射光をＣＣＤ（Charge Coupled Device）センサーの受光面上に結像させ、原稿画像を読み取る。画像読取部１１は、原稿画像走査装置１１２による読取結果に基づいて入力画像データを生成する。この入力画像データには、画像処理部１３において所定の画像処理が施される。
【００２２】
操作表示部１２は、例えばタッチパネル付の液晶ディスプレイ（ＬＣＤ：Liquid Crystal Display）で構成され、表示部１２１及び操作部１２２として機能する。表示部１２１は、制御部１０１から入力される表示制御信号に従って、各種操作画面、画像の状態表示や各機能の動作状況の表示を行う。操作部１２２は、テンキー、スタートキー等の各種操作キーを備え、ユーザーによる各種入力操作を受け付けて、操作信号を制御部１０１に出力する。
【００２３】
ユーザーは、操作表示部１２を操作して、原稿設定、画質設定、倍率設定、応用設定、出力設定、片面／両面設定、及び用紙設定（用紙の坪量、光沢の有無を含む）などの画像形成に関する設定を行うことができる。設定された情報は、例えば記憶部１８２に記憶される。
【００２４】
画像処理部１３は、入力画像データに対して、初期設定又はユーザー設定に応じたデジタル画像処理を行う回路等を備える。例えば、画像処理部１３は、制御部１０１の制御下で、階調補正データに基づいて階調補正を行う。また、画像処理部１３は、入力画像データに対して、色補正、シェーディング補正等の各種補正処理を施す。これらの処理が施された画像データに基づいて、画像形成部２０が制御される。
【００２５】
画像形成部２０は、入力画像データに基づいて、Ｋ成分のトナーによるトナー像を形成するためのトナー像形成部２１、トナー像形成部２１により形成されたトナー像を用紙に転写する転写部２２、及び用紙に転写されたトナー像を定着する定着部２３等を備える。
【００２６】
トナー像形成部２１は、露光装置２１１、帯電装置２１２、感光体ドラム２１３、現像装置２１４、ドラムクリーニング装置２１５、及び除電装置２１６等を備える。
【００２７】
感光体ドラム２１３は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。
【００２８】
帯電装置２１２は、例えばスコロトロン帯電装置やコロトロン帯電装置等のコロナ放電発生器で構成される。帯電装置２１２は、コロナ放電によって感光体ドラム２１３の表面を一様に負極性に帯電させる。
【００２９】
露光装置２１１は、例えば複数の発光ダイオード（ＬＥＤ：Light Emitting Diode）が直線状に配列されたＬＥＤアレイ、個々のＬＥＤを駆動するためのＬＰＨ駆動部（ドライバーＩＣ）、及びＬＥＤアレイからの放射光を感光体ドラム２１３上に結像させるレンズアレイ等を有するＬＥＤプリントヘッドで構成される。ＬＥＤアレイの１つのＬＥＤが、画像の１ドットに対応する。制御部１０１によってＬＰＨ駆動部が制御されることにより、ＬＥＤアレイに所定の駆動電流が流れ、特定のＬＥＤが発光する。
【００３０】
露光装置２１１は、感光体ドラム２１３に対してモノクロ画像に対応する光を照射する。光の照射を受けて感光体ドラム２１３の電荷発生層で発生した正電荷が電荷輸送層の表面まで輸送されることにより、感光体ドラム２１３の表面電荷（負電荷）が中和される。これにより、感光体ドラム２１３の表面には、周囲との電位差により静電潜像が形成される。
【００３１】
現像装置２１４は、Ｋ成分の現像剤（例えばトナーと磁性キャリアーとからなる二成分現像剤）を収容する。現像装置２１４は、感光体ドラム２１３の表面にＫ成分のトナーを付着させることにより、静電潜像を可視化してトナー像を形成する。具体的には、現像剤担持体（現像ローラー）に現像バイアスが印加され、感光体ドラム２１３と現像剤担持体との間に現像電界が形成される。感光体ドラム２１３（負極性）と現像剤担持体との電位差によって、現像剤担持体上の帯電トナー（負極性）は、感光体ドラム２１３の表面の露光部に移動して付着する。すなわち、現像装置２１４は、反転現像方式によって静電潜像を現像する。
【００３２】
ドラムクリーニング装置２１５は、感光体ドラム２１３の表面に摺接されるドラムクリーニングブレード等を有し、転写後に感光体ドラム２１３の表面に残存する転写残トナーを除去する。
【００３３】
除電装置２１６は、例えば除電電極と除電用電源とを有するコロトロン帯電装置で構成される。除電装置２１６は、感光体ドラム２１３の回転方向において、転写部２２（転写ローラー２２２）と帯電装置２１２との間に配置される。制御部１０１によって除電用電源の出力（除電出力、除電バイアス）が制御されることにより、感光体ドラム２１３から除電電極に所定の除電電流が流れるようになっている。これにより、転写後に感光体ドラム２１３の表面に残留する残留電荷が除去される。
【００３４】
転写部２２は、転写ベルト２２１、転写ローラー２２２、複数の支持ローラー２２３、及び転写用電源（図示略）等を備える。
【００３５】
転写ベルト２２１は無端状ベルトで構成され、複数の支持ローラー２２３にループ状に張架される。複数の支持ローラー２２３のうちの少なくとも一つは駆動ローラーで構成され、その他は従動ローラーで構成される。駆動ローラーが回転することにより、転写ベルト２２１が走行し、一定速度で用紙が搬送される。
【００３６】
転写ローラー２２２は、感光体ドラム２１３に対向して、転写ベルト２２１の内周面側に配置される。転写ベルト２２１を挟んで、転写ローラー２２２が感光体ドラム２１３に圧接されることにより、感光体ドラム２１３から用紙へトナー像を転写するための転写ニップが形成される。
【００３７】
転写用電源は、転写ローラー２２２に接続される。制御部１０１によって転写用電源の出力（転写出力）が制御されることにより、転写ローラー２２２から感光体ドラム２１３に所定の転写電流が流れるようになっている。
【００３８】
用紙が転写ニップを通過する際、感光体ドラム２１３上のトナー像が用紙に転写される。具体的には、転写ローラー２２２に転写出力（転写バイアス）を印加し、用紙の裏面側（転写ベルト２２１と当接する側）にトナーと逆極性の電荷（正電荷）を付与することにより、トナー像は用紙に静電的に転写される。トナー像が転写された用紙は定着部２３に向けて搬送される。
【００３９】
定着部２３は、用紙の定着面（トナー像が形成されている面）側に配置される定着ローラーで構成された上側定着部２３１、用紙の裏面（定着面の反対の面）側に配置される加圧ローラーで構成された下側定着部２３２、上側定着部２３１を加熱する加熱源２３３、及び下側定着部２３２を上側定着部２３１に対して圧接する圧接離間部（図示略）等を備える。上側定着部２３１は、本発明の「定着部材」に対応し、加熱源２３３は、本発明の「加熱部」に対応する。
【００４０】
上側定着部２３１は、定着ローラーを回転させるための上側定着部用駆動部（図示略）を有する。制御部１０１によって上側定着部用駆動部の動作が制御されることにより、上側定着部２３１は所定の速度で回転（走行）する。下側定着部２３２は、加圧ローラーを回転させるための下側定着部用駆動部（図示略）を有する。制御部１０１によって下側定着部用駆動部の動作が制御されることにより、下側定着部２３２は所定の速度で回転（走行）する。なお、上側定着部２３１が下側定着部２３２の回転に従動する場合は、上側定着部用駆動部は必要ない。
【００４１】
加熱源２３３は、上側定着部２３１の内部に配置され、複数の発熱体を有している。制御部１０１によって加熱源２３３の出力が制御されることにより、上側定着部２３１が加熱され、所定の温度（例えば定着許容温度、アイドリング温度）で保持される。制御部１０１は、上側定着部２３１に近接して配置される定着温度検出部（図示略）の検出結果に基づいて加熱源２３３の出力を制御する。
【００４２】
圧接離間部（図示略）は、加圧ローラーを定着ローラーに向けて押圧する。圧接離間部は、例えば加圧ローラーを支持する軸の両端部に当接し、軸の両端をそれぞれ独立して押圧する。これにより、定着ニップにおける軸方向のニップ圧のバランスを調整することができる。制御部１０１によって圧接離間部（図示略）の動作が制御され、定着ローラーに加圧ローラーが圧接されることにより、用紙を狭持して搬送する定着ニップが形成される。
【００４３】
トナー像が転写され、通紙経路に沿って搬送されてきた用紙は、定着部２３を通過する際に加熱、加圧される。これにより、用紙にトナー像が定着する。
【００４４】
また、定着部２３における定着ニップの上流側には、検知部１７が設けられている。検知部１７は、用紙の通過を検知するためのセンサーであり、用紙が通過したことを制御部１０１に出力する。
【００４５】
給紙部１４は、給紙トレイ部１４１を有する。給紙トレイ部１４１には、坪量やサイズ等に基づいて識別された枚葉紙（規格用紙、特殊用紙）が予め設定された紙種ごとに収容される。給紙トレイ部１４１には、複数の給紙ローラー部が配置される。給紙部１４は、給紙トレイ部１４１から給紙された用紙を用紙搬送部１６に送り込む。
【００４６】
排紙部１５は、排紙ローラー部１５１等を有し、用紙搬送部１６から送出された用紙を機外に排紙する。
【００４７】
用紙搬送部１６は、主搬送部１６１等を備える。用紙搬送部１６の一部は、例えば定着部２３とともに１つのユニット（用紙搬送ユニットＡＤＵ）に組み込まれ、画像形成装置１に着脱可能に装着される。
【００４８】
主搬送部１６１は、用紙を挟持して搬送する用紙搬送要素として、ループローラー部及びレジストローラー部を含む複数の搬送ローラー部を有する。主搬送部１６１は、給紙トレイ部１４１から給紙された用紙を搬送して画像形成部２０（転写部２２、定着部２３）に通紙するとともに、画像形成部２０（定着部２３）から送出された用紙を排紙部１５に向けて搬送する。
【００４９】
給紙部１４から給紙された用紙は、主搬送部１６１によって画像形成部２０に搬送される。そして、用紙が転写ニップを通過する際、感光ドラム２１３上のトナー像が用紙の第１面（表面）に一括して転写され、定着部２３において定着処理が施される。画像が形成された用紙は、排紙部１５により機外に排紙される。
【００５０】
ところで、上記のような画像形成装置１において、上側定着部２３１は、印刷ジョブ中は用紙に定着ニップで熱を奪われるが、例えば、１００枚以上の印刷ジョブが実行されると、印刷ジョブ中に加熱源２３３により内部から加熱され続けることで、内部及び表面の温度がこれ以上上昇しない飽和状態となる。この場合において、最後の用紙が定着ニップを通過すると、上側定着部２３１の表面から熱を奪われなくなるので、飽和状態となった表面に内部から熱が遅れて伝わる。そのため、上側定着部２３１の表面の温度がオーバーシュートにより大きく変動する。
【００５１】
このオーバーシュートの対策として、図３Ａに示す従来技術のように印刷ジョブにおける最後の用紙が定着ニップに向けて給紙された後、加熱源２３３の出力をオフにすることで（時刻ｔ１）、上側定着部２３１の内部の温度を下げる方法が提案されている。図３Ａでは、波形Ｗ１が上側定着部２３１の内部温度を示し、波形Ｗ２が上側定着部２３１の表面温度を示し、波形Ｗ３が加熱源２３３の出力状態を示している。
【００５２】
このようにすることで、印刷ジョブ終了後において、オーバーシュートによる上側定着部２３１の表面の温度上昇を、例えばアイドリング時の上限温度と略同じ程度に抑えることが可能となっている。しかし、上側定着部２３１の内部の温度を下げてしまうことで、次の印刷ジョブ開始のとき（時刻ｔ２）に、再度上側定着部２３１の内部を加熱し直す必要が生じるので、アンダーシュートによる上側定着部２３１の温度変動が大きくなる。特に、上側定着部２３１が定着ローラーの場合、表面がゴム層となっているので、内部から表面への熱伝導が遅れやすくなり、アンダーシュートによる温度変動が大きくなりやすい。
【００５３】
そこで、本実施の形態では、制御部１０１は、図３Ｂに示すように、第１動作状態である印刷ジョブから第２動作状態（図３Ｂでは、次の印刷ジョブ）に遷移する場合において、第１動作状態が開始される第１タイミング（時刻ｔ０）から第１動作状態が終了する前の第２タイミング（時刻ｔ１）までの間、第１加熱量で上側定着部２３１を加熱するように加熱源２３３を制御する。そして、第２タイミングから第２動作状態が開始される第３タイミング（時刻ｔ２）までの間、第１加熱量より小さく、かつ、０より大きい第２加熱量で上側定着部２３１を加熱するように加熱源２３３を制御する。図３Ｂでは、波形Ｗ４が上側定着部２３１の内部温度を示し、波形Ｗ５が上側定着部２３１の表面温度を示し、波形Ｗ６が加熱源２３３の出力状態を示している。
【００５４】
具体的に、制御部１０１は、印刷ジョブにおける最後の用紙が定着ニップを通過する前、つまり、検知部１７により最後の用紙の通過を検知した第２タイミングで、加熱源２３３の出力を第１加熱量から第２加熱量に変更する。なお、第２タイミングは、最後の用紙が定着ニップを通過するタイミングであってもよい。また、第２タイミングは、予約された印刷ジョブの印刷枚数に基づいて決定されてもよい。
【００５５】
このようにすることで、上側定着部２３１内部を再度加熱し直す必要がなくなるので、第２動作状態（図３Ｂでは次の印刷ジョブ）のときにおいて、内部から表面への熱伝導が良好になる。これにより、アンダーシュートによる表面温度の変動量を小さくすることができる。
【００５６】
制御部１０１は、第１動作状態の終了後に上側定着部２３１の表面温度がオーバーシュートする可能性があるか否かについて判定する。制御部１０１は、上側定着部２３１の表面温度がオーバーシュートする可能性があると判定した場合に限り、第１タイミングから第２タイミングまでの間、第１加熱量で上側定着部２３１を加熱し、第２タイミングから第３タイミングまでの間、第２加熱量で上側定着部２３１を加熱するように加熱源２３３を制御する。
【００５７】
なお、上側定着部２３１の表面温度がオーバーシュートするとは、例えば、上側定着部２３１の表面温度が第１所定温度より高くなる場合をいう。また、第１所定温度は、例えば上側定着部２３１の設定温度（例えば、２００［℃］）に対して５［℃］より高い温度とすることができ、実施の形態に応じて適宜変更することができる。
【００５８】
制御部１０１は、予約された印刷ジョブにおける印刷枚数が所定枚数（例えば、１００枚）以上のとき、上側定着部２３１の表面温度がオーバーシュートする可能性があると判定することができる。これは、印刷枚数により、上側定着部２３１の内部及び表面の温度が飽和状態となることを判定することが可能であるからである。
【００５９】
また、制御部１０１は、温度センサー等により、現在実行中の印刷ジョブ中に上側定着部２３１の表面温度の最低温度（例えば、図３における１８０［℃］）より高くなったと検知したときや、上側定着部２３１の内部温度が所定温度（例えば、図３における２１５［℃］）より高くなったと検知したとき、上側定着部２３１の表面温度がオーバーシュートする可能性があると判定することができる。これは、上記温度を検知することで、上側定着部２３１の内部又は表面の温度が飽和状態に達したと判定することが可能であるからである。
【００６０】
なお、制御部１０１は、画像形成装置１周囲の温湿度環境、用紙の種類、用紙の坪量の条件に基づいて上側定着部２３１の表面温度がオーバーシュートする可能性があると判定してもよい。また、上記したオーバーシュート対策の判定条件は、各条件の何れか１つを判定に用いてもよいし、各条件を組み合わせて判定に用いてもよい。
【００６１】
ところで、定着部２３の動作状態によっては上側定着部２３１の表面から熱を奪う対象が異なるので、上側定着部２３１の内部の温度状態が飽和状態となるときに必要となる加熱源２３３の出力値には、ジョブ毎に適正値が存在する。
【００６２】
本実施の形態では、印刷ジョブのとき、定着ニップを通過する用紙、下側定着部２３２および周囲の空気が上側定着部２３１から熱を奪う対象となるので、加熱源２３１の出力は、例えば最大加熱量に対して８０［％］の加熱量である。また、印刷ジョブの前の予備回転状態のとき、下側定着部２３２および周囲の空気が上側定着部２３１から熱を奪う対象となり、印刷ジョブより当該対象が減るので、加熱源２３１の出力は、例えば最大加熱量に対して４０［％］の加熱量である。また、アイドリング状態のとき、周囲の空気が上側定着部２３１から熱を奪う対象となり、印刷ジョブおよび予備回転状態より当該対象が減るので、加熱源２３１の出力は、例えば最大加熱量に対して２０［％］の加熱量である。なお、加熱源２３３の加熱量の適正値は、実施の形態に応じて適宜変更することができる。
【００６３】
そこで、制御部１０１は、第２動作状態に応じて第２加熱量（図３Ｂでは８０［％］）を変更する制御を実行する。これにより、第２動作状態に移行する際の上側定着部２３１の表面温度の応答性を良好にすることができる。
【００６４】
具体的に、制御部１０１は、第２動作状態が印刷ジョブのとき、第２加熱量を、加熱源２３３の最大加熱量の８０［％］の加熱量とすることができ、第２動作状態が予備回転状態のとき、第２加熱量を、加熱源２３３の最大加熱量の４０［％］の加熱量とすることができる。また、制御部１０１は、第２動作状態がアイドリング状態のとき、第２加熱量を、加熱源２３３の最大加熱量の２０［％］の加熱量とすることができる。
【００６５】
制御部１０１は、第２動作状態と、加熱源２３３で用いる電源の電圧値、画像形成装置１周囲の温湿度環境、用紙の種類および上側定着部２３１の使用履歴のうち少なくとも１つの条件とに応じて、第２加熱量を変更するようにしてもよい。制御部１０１は、これらの条件の何れかを組み合わせる際、予め記憶部１８２等に設定された条件のみを組み合わせてもよいし、ユーザーが入力した各条件の何れかを組み合わせてもよい。
【００６６】
制御部１０１は、第２動作状態が定着を行う動作状態、つまり、印刷ジョブである場合、第２動作状態において定着不良が生じないように第２加熱量を決定する。例えば、制御部１０１は、加熱源２３３の出力を第２加熱量から第２動作状態における第１加熱量に切り替えた際、第１動作状態時の上側定着部２３１の表面の最低温度と、第２動作状態時の上側定着部２３１の表面の最低温度との差分が第２所定温度（例えば、５［℃］）未満となるように第２加熱量を決定する。このようにすることで、第２動作状態の開始の際におけるアンダーシュートによる温度変動量を小さくし、安定した定着状態が維持される。
【００６７】
制御部１０１は、図４Ａ、図４Ｂ、図４Ｃおよび図４Ｄに示すように、所定のデューティー比の半波単位のオン／オフパターンに基づいて加熱源２３３を制御する。制御部１０１は、例えば、特開２０１５−９９３３４号公報に開示されたような半波単位の波形に基づいて加熱源２３３の出力を制御する。図４Ａ、図４Ｂ、図４Ｃおよび図４Ｄでは、それぞれにおいて、上側が、加熱源２３３の出力値毎の半波単位のオン／オフパターンの波形を示し、下側が、オン／オフパターンにおける加熱源２３３のオン／オフ状態を示している。
【００６８】
具体的に、制御部１０１は、加熱源２３３の出力を最大加熱量、つまり、１００［％］の加熱量とするとき、図４Ａに示すようなデューティー比１００［％］のオン／オフパターンの波形に設定し、加熱源２３３の出力を最大加熱量の８０［％］の加熱量とするとき、図４Ｂに示すようなデューティー比８０［％］のオン／オフパターンの波形に設定する。制御部１０１は、加熱源２３３の出力を最大加熱量の４０［％］の加熱量とするとき、図４Ｃに示すようなデューティー比４０［％］のオン／オフパターンの波形に設定し、加熱源２３３の出力を最大加熱量の２０［％］の加熱量とするとき、図４Ｄに示すようなデューティー比２０［％］のオン／オフパターンの波形に設定する。これにより、加熱源２３３の加熱量を正確な値に制御することができる。
【００６９】
また、制御部１０１は、上述した複数の発熱体が上側定着部２３１の軸方向の異なる位置に並ぶ構成の場合、用紙の種類に応じて複数の発熱体の何れかの加熱量を選択的に制御してもよい。このようにすることで、例えば、制御部１０１は、各発熱体で役割を分担した配熱構成の場合に、各発熱体で独自に加熱量を変更することで、必要な発熱体のみを出力させればよくなる。そのため、例えば、定着部２３の軸方向において中央部と端部の温度推移が異なるような、サイズの異なる用紙を交互に印刷する場合に有利である。
【００７０】
次に、以上のような制御部１０１を備えた画像形成装置１の加熱量制御の動作例について説明する。
図５は、画像形成装置１の加熱量制御の動作例を示すフローチャートである。図５における処理は、制御部１０１が印刷ジョブの実行指示を受け付けたときに実行される。
【００７１】
まず、制御部１０１は、上側定着部２３１の表面温度がオーバーシュートする可能性があるか否かについて判定する（ステップＳ１０１）。具体的に、制御部１０１は、例えば、予約された印刷ジョブにおける印刷枚数が所定枚数以上であることを条件としてオーバーシュートする可能性の有無を判定する。
【００７２】
判定の結果、オーバーシュートする可能性がない場合（ステップＳ１０１、ＮＯ）、制御部１０１は、印刷ジョブにおける印刷制御を実行し（ステップＳ１０２）、ステップＳ１０９の処理に遷移する。
【００７３】
一方、オーバーシュートする可能性がある場合（ステップＳ１０１、ＹＥＳ）、制御部１０１は、印刷ジョブにおける最終紙が定着ニップに到着したか否かについて判定する（ステップＳ１０３）。判定の結果、最終紙が定着ニップに到着してない場合（ステップＳ１０３、ＮＯ）、制御部１０１は、ステップＳ１０３の処理を繰り返す。
【００７４】
一方、最終紙が定着ニップに到着した場合（ステップＳ１０３、ＹＥＳ）、制御部１０１は、印刷ジョブの予約があるか否かについて判定する（ステップＳ１０４）。判定の結果、印刷ジョブの予約がない場合（ステップＳ１０４，ＮＯ）、制御部１０１は、加熱源２３３の出力を、最大加熱量の２０［％］とした第２加熱量に設定し（ステップＳ１０５）、ステップＳ１０９の処理に遷移する。
【００７５】
一方、印刷ジョブの予約がある場合（ステップＳ１０４、ＹＥＳ）、制御部１０１は、予備回転が必要であるか否かについて判定する（ステップＳ１０６）。判定の結果、予備回転が必要でない場合（ステップＳ１０６、ＮＯ）、制御部１０１は、加熱源２３３の出力を、最大加熱量の８０［％］とした第２加熱量に設定する（ステップＳ１０７）。一方、予備回転が必要である場合（ステップＳ１０６、ＹＥＳ）、制御部１０１は、加熱源２３３の出力を、最大加熱量の４０［％］とした第２加熱量に設定する（ステップＳ１０８）。
【００７６】
ステップＳ１０２，Ｓ１０５，Ｓ１０７，Ｓ１０８の後、制御部１０１は、第２動作状態に応じた加熱量に加熱源２３３の出力を設定する（ステップＳ１０９）。具体的に、制御部１０１は、ステップＳ１０５の後の場合、加熱源２３３の出力をアイドリング状態の加熱量に設定し、ステップＳ１０７の後の場合、加熱源２３３の出力を印刷ジョブの加熱量に設定する。制御部１０１は、ステップＳ１０８の後の場合、加熱源２３３の出力を予備回転状態の加熱量に設定する。また、制御部１０１は、ステップＳ１０２の後の場合、加熱源２３３の出力を、そのときの動作状態に合わせた加熱量に設定する。
【００７７】
最後に、制御部１０１は、第２動作状態が印刷ジョブであるか否かについて判定する（ステップＳ１１０）。判定の結果、第２動作状態が印刷ジョブである場合（ステップＳ１１０、ＹＥＳ）、処理はステップＳ１０１の前に戻り、第２動作状態が印刷ジョブでない場合（ステップＳ１１０、ＮＯ）、画像形成装置１は、図５の処理を終了する。
【００７８】
以上、詳しく説明したように、本実施の形態における画像形成装置１は、定着ニップにおいて、用紙上に形成された未定着のトナー像を前記用紙に定着する上側定着部２３１と、上側定着部２３１を加熱する加熱源２３３と、上側定着部２３１の動作状態が定着を行う第１動作状態から第２動作状態に遷移する場合において、第１動作状態が開始される第１タイミングから第１動作状態が終了する前の第２タイミングまでの間、第１加熱量で上側定着部２３１を加熱し、第２タイミングから第２動作状態が開始される第３タイミングまでの間、第１加熱量より小さく、かつ、０より大きい第２加熱量で上側定着部２３１を加熱するように加熱源２３３を制御する制御部１０１と、を備える。
【００７９】
このように構成した本実施の形態によれば、加熱源２３３の出力を、第１加熱量よりも小さい第２加熱量とすることで、印刷ジョブにおける最後の用紙が定着ニップを通過した後に発生するオーバーシュートにより上側定着部２３１の温度が大きく変動するのを低減することができる。そして、第２動作状態に応じて第２加熱量を適正値に設定することで、第２動作状態にしたときの上側定着部２３１の内部から表面への温度変動における応答性が良好になる。そのため、アンダーシュートにより上側定着部２３１の温度が大きく変動するのを低減することができる。その結果、上側定着部２３１表面の温度低下による画像不良が発生するのを抑制することができる。
【００８０】
また、第２加熱量を第２動作状態に応じた適正値とすることで、上側定着部２３１の内部から表面への熱伝導性にムラが生じるのを抑制することができるので、上側定着部２３１の内部および表面の温度のバランスを保つことができる。そのため、上側定着部２３１の表面温度を常時安定した状態に維持することができるので、迅速に次のジョブに移行することができ、印刷ジョブにおける生産性を向上させることができる。
【００８１】
また、上側定着部２３１の表面温度がオーバーシュートする可能性がある場合に、加熱源２３３の出力を第１加熱量から第２加熱量に切り替えるので、適切な加熱源２３３の制御を実行することができる。
【００８２】
また、第２動作状態に加えて、例えば、加熱源２３３で用いる電源の電圧値等のその他の条件を加味することで、第２加熱量をより適正な値とすることができる。
【００８３】
また、印刷ジョブと印刷ジョブの間における加熱源２３３の出力を第２加熱量とすることで、上側定着部２３１における温度の応答性が良好になるので、例えば優先度の高い印刷ジョブの実行指示を受け付けても、迅速に当該印刷ジョブに移行することができる。
【００８４】
最後に、本実施の形態に係る画像形成装置１における評価実験について説明する。
本実験では、第２動作状態に応じて第２加熱量を変更した場合のオーバーシュートおよびアンダーシュートにおける上側定着部２３１の表面温度の変化について評価した。評価装置としては、図１に示す画像形成装置１を用いた。
【００８５】
評価条件としては、上側定着部２３１としての定着ローラーは、表面のゴム層の厚みを０．５［ｍｍ］、熱容量を２．０［ｋＪ／Ｋ］としたものを用い、下側定着部２３２としての加圧ローラーは、表面のゴム層の厚みを６．５［ｍｍ］とし、熱容量を１．３［ｋＪ／Ｋ］としたものを用いた。なお、定着ローラーおよび加圧ローラーは、上記した熱容量以上のものを用いてもよい。また、定着部２３として定着ベルト等のベルト加熱方式の構成を採用してもよい。
【００８６】
以上のような画像形成装置１において、定着部２３における定着温度を２００［℃］とし、環境条件を常温常湿とし、画像形成装置１で用いる電源電圧を２００［Ｖ］とし、定着部の使用履歴としては初期状態のものを用いた。また、各実施例における設定温度、次ジョブの紙種および第２加熱量は、下記表１のように設定した。
【００８７】
表１に各実施例における設定温度、紙種および第２加熱量の関係を示す。
【表１】
0006344341.tif 000002
実施例４は、第２動作状態が紙種を普通紙とした印刷ジョブであるときの第２加熱量としていたときに、優先出力として紙種を厚紙（例えば、坪量１５０〜３５０［ｇｓｍ］）が選択されたときの実施例である。そのため、表１では、設定温度および第２加熱量が途中で右側の数字に切り替わったことを示している。
【００８８】
上記のように設定後、まずアイドリング状態からスタートさせ、Ａ４サイズの普通紙を５０００枚連続印刷として設定された印刷ジョブを開始する。そして、最後の用紙が定着ニップを通過する前のタイミングで加熱源２３３の出力を第１加熱量から第２加熱量に変更し、その後、第２動作状態の加熱量に変更する。このときにおける第２動作状態の加熱量に変更した際の、オーバーシュートおよびアンダーシュートによる上側定着部２３１の表面温度の変動量を評価した。
【００８９】
表２に各実施例における評価結果を示す。
【表２】
0006344341.tif 000003
また、オーバーシュートについては、設定温度に対して５［℃］以内の温度変動の場合、評価結果を「○」とし、５［℃］より大きい温度変動の場合、評価結果を「×」としている。アンダーシュートについては、第２動作状態における上側定着部２３１の表面の最低温度が、オーバーシュートが発生しない条件下における同じ動作状態内での最低温度に対して５［℃］より小さい温度変動量の場合、評価結果を「○」とし、５［℃］以上の温度変動量の場合、評価結果を「×」としている。なお、上記最低温度は、実験等により、動作状態毎に設定することができる。
【００９０】
なお、各実施例の比較例は、各実施例と同条件であって、前の印刷ジョブの最後の用紙が定着ニップを通過してから次のジョブが開始されるまでの間の加熱源２３３の出力をオフ、つまり、加熱量を０にしたものである。
【００９１】
表２に示すように、実施例２，３，４における結果を見ると、各比較例については、アンダーシュートによる評価結果が「×」となったのに対し、各実施例では、何れも「○」となった。
【００９２】
図６は、実施例２の評価結果における加熱源２３３の出力状態と上側定着部２３１の内部温度状態との関係を示すタイムチャートであり、図７は、実施例３の評価結果における加熱源２３３の出力状態と上側定着部２３１の内部温度状態との関係を示すタイムチャートであり、図８は、実施例４の評価結果における加熱源２３３の出力状態と上側定着部２３１の内部温度状態との関係を示すタイムチャートである。
【００９３】
なお、図６、図７および図８において、時刻ｔ０１は第１タイミングであり、時刻ｔ０２は第２タイミングであり、時刻ｔ０３は第３タイミングである。また、図６、図７および図８において、波形Ｘ１が加熱源２３３の出力状態であり、波形Ｘ２が上側定着部２３１の内部温度状態であり、波形Ｘ３が比較例における上側定着部２３１の内部温度状態である。また、上側定着部２３１の内部温度状態は、加熱源２３３の出力をフル出力としたときにおいて、上側定着部２３１が用紙等に熱を奪われない場合の温度状態に対する、温度状態の割合を示している。
【００９４】
図６、図７および図８に示すように、比較例においては、第２動作状態時に、加熱源２３３により再度加熱し直されるので、上側定着部２３１の内部温度の上昇が遅れてアンダーシュートが起こりやすいことが確認できる。また、第２動作状態における加熱源２３３の出力状態が上がるほど、上側定着部２３１の内部温度の変動量が大きくなるので、アンダーシュートによる影響が顕著なものになると考えられる。
【００９５】
それに対し、各実施例においては、上側定着部２３１の内部温度が、加熱源２３３の出力を第２加熱量としたことに伴う変動にとどまるので、第２動作状態の開始時においても、上側定着部２３１の表面温度が迅速に上昇することが確認できる。
【００９６】
なお、図６、図７および図８においては、加熱源２３３の出力を１００［％］としているときに、上側定着部２３１の内部温度が８０［％］となっているが、これは、印刷において、定着ニップを通過する用紙に上側定着部２３１の熱を奪われて、その分内部温度が下がっているためである。
【００９７】
また、実施例４において、定着温度が異なるようなジョブが第２加熱量に設定している時に急に入っても、加熱源２３３の出力を迅速に変えることができるので、迅速に第２動作状態に移行することができることが確認できた。
【００９８】
また、表２に示すように、実施例１については、比較例とともに評価結果に差異がなかった。この理由としては、アイドリング状態時は、他の動作状態と比較して上側定着部２３１の表面から熱が奪われにくく、また、加熱源２３３の出力も小さい。そのため、その分上側定着部２３１の内部の温度が表面に伝わりやすくなり、比較例におけるアンダーシュートによる温度変動量が小さくなるものと考えられる。
【００９９】
また、各実施例および各比較例ともに、オーバーシュートについての評価結果が「○」となった。これにより、各実施例において、加熱源２３３の出力を第１加熱量から第２加熱量とすることで、オーバーシュートを抑制できることが確認できた。
【０１００】
また、上記した実験条件に、表３および表４に示すような条件を適宜加えた上で制御部１０１による制御を実行してもよい。表３は、各条件における第２加熱量のシフト量を示し、表４は、紙種毎の第２加熱量を示している。
【表３】
0006344341.tif 000004
【表４】
0006344341.tif 000005
【０１０１】
表３に示すように、環境条件、すなわち、画像形成装置１周囲の温湿度条件においては、常温常湿（ＮＮ）および高温高湿（ＨＨ）のときは、シフト量を０［％］に設定しているのに対し、低温低湿（ＬＬ）のときは、シフト量を５［％］に設定している。これは画像形成装置１周囲の温湿度条件が低温低湿になることで、上側定着部２３１の温度が下がりやすくなるためである。
【０１０２】
電源電圧においては、上記実験のように２００［Ｖ］のときを基準（０［％］）とすると、１８０［Ｖ］のとき、シフト量を５［％］とし、２３０［Ｖ］のとき、シフト量を−５［％］に設定している。
【０１０３】
電源電圧を下げると加熱量も下がり、アンダーシュートによる影響を受けやすくなるので、その分だけ加熱量を増やす必要が生じるためである。一方、電源電圧を上げると加熱量が上がり、オーバーシュートによる影響を受けやすくなるので、その分だけ加熱量を下げる必要が生じるためである。
【０１０４】
現ジョブと次ジョブにおいて定着温度に温度差がある場合においては、基準となる定着温度よりも５［℃］以上小さいとき、シフト量を−５［％］とし、当該定着温度から−５［℃］から５［℃］の範囲内であるとき、シフト量を０［％］とし、当該定着温度から５［℃］以上大きいとき、シフト量を５［％］としている。これは、次ジョブで温度に応じた加熱量にする必要があるためである。
【０１０５】
上側定着部２３１の使用履歴においては、初期状態を０［％］とし、末期状態を５［％］としている。これは、上側定着部２３１を使用し続けて部材が劣化することで、内部から表面への熱伝導性が悪くなるので、加熱量を増やす必要があるためである。
【０１０６】
表４に示すように、紙種の坪量が小さい場合加熱量を低くし、坪量が大きい場合、加熱量を大きく設定している。これは、厚紙の定着温度が普通紙の定着温度より高く、薄紙の定着温度が普通紙の定着温度より低いためである。
【０１０７】
なお、上記の各評価条件は、実施例に応じて、それぞれの値を変更してもよい。
【０１０８】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【０１０９】
本発明は、画像形成装置を含む複数のユニットで構成される画像形成システムに適用できる。複数のユニットには、例えば後処理装置、ネットワーク接続された制御装置等の外部装置が含まれる。
【符号の説明】
【０１１０】
１  画像形成装置
１０１  制御部
２３１  上側定着部
２３３  加熱源
【図１】
0006344341.tif 000006
【図２】
0006344341.tif 000007
【図３】
0006344341.tif 000008
【図４】
0006344341.tif 000009
【図５】
0006344341.tif 000010
【図６】
0006344341.tif 000011
【図７】
0006344341.tif 000012
【図８】
0006344341.tif 000013